(57)【要約】【課題】放送受信時における無線通信による妨害を軽減させる。【解決手段】無線通信の通信動作状態を判別して信号経路選択信号ＣＧを生成する。無線信号の送信を行っているとき、あるいは無線信号を受信したときの信号レベルが予め設定したレベルよりも大きいとき、放送信号を受信して得られた受信信号に無線信号の信号成分が加えられたことにより増幅時に歪みを生じてしまうことがないように、信号ＣＧによってトランジスタ２２４をオフ状態として、放送信号を受信して得られた受信信号を、増幅を行わない信号経路である抵抗器２３２とキャパシタ２３４を介してメインアンプ２２３に供給する。増幅時に歪みを生じてしまうことが無いときは、トランジスタ２２４をオン状態として、放送信号を受信して得られた受信信号をトランジスタ２３１で増幅してアンプ２２３に供給する。【選択図】        図２
2006295335.tif 000002
【特許請求の範囲】
【請求項１】
放送信号を受信して得られた受信信号から所望のチャネルの信号を選択して周波数変換を行うチューナ部と、
無線通信を行う通信部と、
前記チューナ部と前記通信部の動作を制御する制御部とを有し、
前記チューナ部の入力段に、前記受信信号を増幅して後段に供給する信号経路と増幅することなく後段に供給する信号経路を設け、
前記制御部は、前記通信部の通信動作状態に応じて前記入力段の信号経路の選択を行う
ことを特徴とする携帯端末装置。
【請求項２】
前記受信信号を増幅することなく後段に供給する信号経路として、前記受信信号を増幅して後段に供給する信号経路に設けられた増幅器の帰還回路を用いる
ことを特徴とする請求項１記載の携帯端末装置。
【請求項３】
前記制御部は、前記通信部で無線信号の送信を行っているとき、あるいは前記通信部で無線信号を受信したときの信号レベルが予め設定したレベルよりも大きいとき、前記入力段の信号経路として受信信号を増幅することなく後段に供給する信号経路を選択する
ことを特徴とする請求項１記載の携帯端末装置。
【請求項４】
無線通信の通信動作状態を判別する手順と、
前記判別された通信動作状態に応じて、放送信号を受信して得られた受信信号の増幅を行う信号経路と増幅を行わない信号経路との選択を行う手順と、
前記選択された信号経路を介して供給された前記受信信号から所望のチャネルの信号を選択して周波数変換を行う手順とを有する
ことを特徴とする放送受信方法。
【発明の詳細な説明】
【技術分野】
【０００１】
この発明は、携帯端末装置および放送受信方法に関する。詳しくは、無線通信の通信動作状態に応じて、放送信号を受信して得られた受信信号の増幅を行う信号経路と増幅を行わない信号経路との選択を行い、選択された信号経路を介して供給される受信信号から所望のチャネルの信号を選択して周波数変換を行うものである。
【背景技術】
【０００２】
携帯端末装置では、機能向上に伴い、特許文献１の発明のように、携帯電話の機能だけでなくテレビジョン放送の視聴も可能とされている。このテレビジョン放送では、９０ＭＨｚ〜７７０ＭＨｚの周波数範囲を用いて放送信号の送信が行われており、携帯電話では、例えば８００ＭＨｚ帯を用いて無線通信が行われている。また、地上アナログ放送の終了に伴い、テレビジョン放送用の周波数帯を通信用の周波数帯として割り当てることも計画されている。従って、テレビジョン放送番組を視聴しながら携帯電話の機能を利用して無線通信を行う場合、周波数の近接した帯域を同時に使用するような状況が生ずる。
【０００３】
【特許文献１】特開２００３−３０９７７４号公報
【発明の開示】
【発明が解決しようとする課題】
【０００４】
ところで、無線通信において携帯端末装置から送信される送信信号は、携帯端末装置で受信する放送信号よりも信号レベルが大きい。このため、周波数の近接した帯域を同時に使用して、テレビジョン放送番組を視聴しながら携帯電話の機能を利用すると、送信信号がテレビジョン放送番組の画像に妨害を与えてしまうおそれがある。また、無線通信において受信する無線信号の信号レベルが大きい場合にも、テレビジョン放送番組の画像に妨害を与えてしまうおそれがある。
【０００５】
そこで、この発明では、放送受信時における無線通信による妨害を軽減できる携帯端末装置および放送受信方法を提供するものである。
【課題を解決するための手段】
【０００６】
この発明に係る携帯端末装置は、放送信号を受信して得られた受信信号から所望のチャネルの信号を選択して周波数変換を行うチューナ部と、無線通信を行う通信部と、チューナ部と通信部の動作を制御する制御部とを有し、チューナ部の入力段に、受信信号を増幅して後段に供給する信号経路と増幅することなく後段に供給する信号経路を設け、制御部は、通信部の通信動作状態に応じて入力段の信号経路の選択を行うものである。
【０００７】
また、この発明に係る放送受信方法は、無線通信の通信動作状態を判別する手順と、判別された通信動作状態に応じて、放送信号を受信して得られた受信信号の増幅を行う信号経路と増幅を行わない信号経路との選択を行う手順と、選択された信号経路を介して供給された受信信号から所望のチャネルの信号を選択して周波数変換を行う手順とを有するものである。
【０００８】
この発明においては、無線通信の通信動作状態に基づき信号経路の選択が行われて、放送信号を受信して得られた受信信号に無線信号の信号成分が加えられたことにより増幅時に歪みを生じてしまうようなとき、例えば、無線信号の送信を行っているとき、あるいは無線信号を受信したときの信号レベルが予め設定したレベルよりも大きいとき、放送信号を受信して得られた受信信号の増幅を行わない信号経路が選択されて、この選択された信号経路を介して供給された受信信号から所望のチャネルの信号を選択して周波数変換が行われる。また、増幅時に歪みを生じてしまうことが無いときは、放送信号を受信して得られた受信信号の増幅を行う信号経路が選択されて、この選択された信号経路を介して供給された受信信号から所望のチャネルの信号を選択して周波数変換が行われる。
【発明の効果】
【０００９】
この発明によれば、無線通信の通信動作状態に応じて、放送信号を受信して得られた受信信号の増幅を行う信号経路と増幅を行わない信号経路との選択が行われて、選択された信号経路を介して供給される受信信号から所望のチャネルの信号を選択して周波数変換が行われる。このため、放送信号を受信して得られた受信信号に、無線通信で用いられた信号成分が加えられて増幅時に歪みを生じてしまうような場合、受信信号の増幅を行わない信号経路が選択されて、受信信号の歪みが防止されるので、放送受信時に無線通信による妨害を軽減できる。
【発明を実施するための最良の形態】
【００１０】
以下、図を参照しながら、この発明の実施の形態について説明する。図１は、この発明の携帯端末装置に係る一実施形態の構成を示すブロック図である。通信アンテナ１１は無線通信を行うためのアンテナであり、アンテナ切替部１２と接続されている。また、放送受信アンテナ２１はテレビジョン放送信号を受信するためのアンテナであり、チューナ部２２と接続されている。
【００１１】
アンテナ切替部１２は、デュプレクサ等で構成されており、通信アンテナ１１で無線信号を受信して得られた受信信号ＳRFrを通信部１３の受信信号処理部１３１に供給する。また、通信部１３の送信信号生成部１３２から供給された送信信号ＳRFtを通信アンテナ１１に供給する。
【００１２】
受信信号処理部１３１は、受信信号ＳRFrの周波数変換や復調処理を行い、ベースバンド受信信号ＳＢrを生成してベースバンド処理部１３３に供給する。送信信号生成部１３２は、ベースバンド処理部１３３から供給されたベースバンド送信信号ＳＢtの変調処理および周波数変換処理を行い、送信信号ＳRFtを生成してアンテナ切替部１２に供給する。
【００１３】
ベースバンド処理部１３３は、ベースバンド受信信号ＳＢrをディジタルのベースバンド受信データに変換したのち、デインタリーブ処理やデコード処理および誤り訂正処理等を行い、得られた受信音声データＤＡrをコーデック部１４、得られた受信情報データＤＳrを制御部４０にそれぞれ供給する。また、ベースバンド処理部１３３は、コーデック部１４から供給された送信音声データＤＡtや制御部４０から供給された送信情報データＤＳtに誤り検出用符号を付加したのちエンコード処理やインタリーブ処理を行い、ベースバンド送信データを生成する。さらに、ベースバンド処理部１３３は、生成したベースバンド送信データをアナログのベースバンド送信信号ＳＢtに変換して送信信号生成部１３２に供給する。
【００１４】
コーデック部１４は、受信音声データＤＡrを伸長して音声データＤＡtelとして音声信号出力部３３に供給する。また、後述するマイク信号処理部３１からディジタルの音声データＤＡmが供給されたとき、この音声データＤＡmを圧縮して送信音声データＤＡtとしてベースバンド処理部１３３に供給する。
【００１５】
放送受信アンテナ２１に接続されたチューナ部２２は、放送受信アンテナ２１でテレビジョン放送信号を受信して得られた受信信号Ｓtvを増幅したのち周波数変換や選局を行い、所望のチャネルの受信信号を復調部２４に供給する。復調部２４は、チューナ部２２から供給された受信信号の復調処理を行い、復調処理によって得られたトランスポートストリームＴＳを多重分離部２５に供給する。なお、復調部２４では復調処理によって得られた信号の誤り訂正処理も行う。
【００１６】
多重分離部２５は、トランスポートストリームＴＳから目的とする映像・音声パケットＰavを選択してＡ／Ｖデコーダ２６に供給する。Ａ／Ｖデコーダ２６は、映像・音声パケットＰavの復号化処理を行い、得られた映像データＤＶtvを表示駆動部３５に供給する。また、復号化処理によって得られた音声データＤＡtvを音声信号出力部３３に供給する。
【００１７】
マイク信号処理部３１は、接続されているマイクロホン３２から供給されたマイク音声ＳＡmicを増幅したのちディジタルの音声データＤＡmに変換して、コーデック部１４に供給する。
【００１８】
音声信号出力部３３は、コーデック部１４から供給された音声データＤＡtelあるいはＡ／Ｖデコーダ２６から供給された音声データＤＡtvを選択してアナログの音声信号に変換する。また、変換後の音声信号の信号レベル等を調整して音声出力信号ＳＡoutとしてスピーカ３４に供給する。
【００１９】
表示駆動部３５は、Ａ／Ｖデコーダ２６から供給された映像データＤＶtv、あるいは制御部４０から供給された表示データＤＶdtに基づいて表示駆動信号ＤＲを生成して表示素子３６に供給する。表示素子３６は、ＬＣＤ（液晶表示素子）等を用いて構成されており、表示駆動部３５から供給された表示駆動信号ＤＲに基づいて駆動されて、放送番組の映像や通信によって得られた情報、あるいは携帯端末装置の動作状態等に関する表示を行う。
【００２０】
制御部４０には、ＲＯＭ(Read Only Memory)４１やＲＡＭ(Random Access Memory)４２、インタフェース４３、キーパッド等で構成された操作部４４が接続されている。ＲＯＭ４１には、携帯端末装置１０で所望の動作を行うことができるように、制御部４０がソフトウエアにて各部の動作を制御するための制御プログラムなどが格納される。ＲＡＭ４２には、送信する情報や受信した情報および通信相手に関する情報等が格納される。インタフェース４３は、携帯端末装置１０にコンピュータ装置や周辺装置等を接続するためのものである。操作部４４は、数字キーやアルファベットキーなどを有するキーパッド等で構成されており、キー操作に応じた操作信号ＰＳを制御部４０に供給する。
【００２１】
制御部４０は、ＲＯＭ４１に記憶されている制御プログラムを実行して、操作部４４からの操作信号ＰＳに基づき制御信号ＣＴを生成して、この制御信号ＣＴを通信部１３やチューナ部２２等に供給することで、携帯端末装置１０の動作が所望の動作となるように制御する。例えば、制御信号ＣＴをチューナ部２２に供給して、所望のチャネルの放送番組を選局して、番組の映像を表示素子３６で表示させる。また、制御信号ＣＴを通信部１３に供給して、所望の相手先との通話や通信を可能とする。また、制御信号ＣＴによって、音声信号出力部３３から出力される音声出力信号ＳＡoutの信号レベルを制御することで、スピーカ３４から出力される音声の音量調整等も行うことができる
ここで、制御部４０は、放送信号の受信中に無線通信を行う場合、放送番組の視聴に対する悪影響を軽減するため、無線通信動作状態に応じた信号経路選択信号ＣＧを生成してチューナ部２２に供給する。チューナ部２２の入力段には、受信信号Ｓtvを増幅して後段に供給する信号経路と増幅することなく後段に供給する信号経路を設け、信号経路選択信号ＣＧに基づいて信号経路の選択を行う。
【００２２】
図２は、チューナ部２２の入力段の一実施形態を示している。放送受信アンテナ２１は、チューナ部２２のフィルタ２２１と接続される。フィルタ２２１は、受信信号Ｓtvに対してテレビジョン放送信号で用いる周波数帯の信号を通過させるようにフィルタ処理を行う。
【００２３】
フィルタ２２１から出力されたフィルタ処理後の信号は、プリアンプ２２２を構成するＮＰＮ形トランジスタ２３１のベースに供給される。なお、図２では、プリアンプ２２２の一実施形態としてトランジスタ２３１を用いた構成を示したが、プリアンプ２２２は図２に示す構成に限られるものではない。
【００２４】
トランジスタ２３１のベースとコレクタ間には、増幅器の帰還回路となる抵抗器２３２が接続されており、トランジスタ２３１のエミッタは、抵抗器２３３を介して接地されている。トランジスタ２３１のコレクタは、結合コンデンサ２３４を介して後段のメインアンプ２２３と接続される。また、コレクタには、抵抗器２３５を介して、ＰチャネルＭＯＳ型スイッチングトランジスタ２２４のドレインが接続されている。スイッチングトランジスタ２２４のソースには電源電圧Ｖが供給されており、ゲートには信号経路選択信号ＣＧが供給される。
【００２５】
このように、信号経路選択信号ＣＧによってスイッチングトランジスタ２２４が駆動されて、スイッチングトランジスタ２２４がオン状態とされたときには、プリアンプ２２２に対して電源電圧Ｖが供給される。このため、フィルタ処理後の信号は、プリアンプ２２２で増幅されたのち、後段のメインアンプ２２３に供給される。また、スイッチングトランジスタ２２４がオフ状態とされたときには、プリアンプ２２２に対して電源電圧Ｖの供給が停止される。このため、フィルタ処理後の信号は、プリアンプ２２２で増幅されることなく帰還抵抗である抵抗器２３２を介して、後段のメインアンプ２２３に供給される。
【００２６】
ここで、無線通信で用いる周波数帯とテレビジョン放送で用いる周波数が近接しており、無線通信で用いられている信号成分をフィルタ２２１によって十分小さなレベルに減衰させることができない場合、受信信号Ｓtvに無線通信の信号成分が加わって信号レベルが大きくなる。この信号レベルが大きいものとされた受信信号Ｓtvをプリアンプ２２３で増幅すると、トランジスタの非線形特性により、メインアンプ２２３に供給される信号は、歪みを生じた信号となってしまい、例えば視聴中の放送番組の画面上に妨害が生じてしまう。
【００２７】
このため、制御部４０は、受信信号Ｓtvに無線通信で用いられた信号成分が加えられて増幅時に歪みを生じてしまうようなとき、受信信号Ｓtvを増幅することなくメインアンプ２２３に供給する信号経路を選択し、増幅時に歪みを生じてしまうことがないとき、受信信号Ｓtvを増幅してメインアンプ２２３に供給する信号経路を選択するように、信号経路選択信号ＣＧによって信号経路の選択を行う。
【００２８】
例えば、放送信号の受信中に通信アンテナ１１から無線信号を送信する場合、送信信号の信号レベルは大きいことから、この信号成分が受信信号Ｓtvに加わり易い。このため、制御部４０は、信号経路選択信号ＣＧの論理レベルをローレベル「Ｌ」からハイレベル「Ｈ」に切り替えて、送信の終了時に論理レベルをハイレベル「Ｈ」からローレベル「Ｌ」に戻す。このように、信号経路選択信号ＣＧを生成すると、無線信号の送信中は、受信信号Ｓtvが帰還抵抗である抵抗器２３２を介してメインアンプ２２３に供給される。このため、歪みを生じた受信信号がメインアンプ２２３に供給されることがなく、無線通信による妨害を軽減できる。また、無線信号の送信が終了したときは、プリアンプ２２２に対して電源電圧Ｖが供給されるので、受信信号Ｓtvが増幅されてメインアンプ２２３に供給される。このため、受信信号Ｓtvの信号レベルが小さいときにも放送番組の提示を良好に行うことができる。
【００２９】
また、通信アンテナ１１で無線信号を受信して得られる受信信号ＳRFrの信号レベルが大きい場合も、無線信号の信号成分が受信信号Ｓtvに加わり易い。このため、受信信号処理部１３１は、受信信号ＳRFrの信号レベルを検出して検出結果を示す受信信号レベル（図示せず）を制御部４０に通知する。制御部４０は、受信信号ＳRFrの信号レベルが予め設定した信号レベルよりも大きいとき、信号経路選択信号ＣＧの論理レベルをローレベル「Ｌ」からハイレベル「Ｈ」に切り替えて、受信信号Ｓtvを増幅することなくメインアンプ２２３に供給させる。
【００３０】
このようにすれば、例えば携帯端末装置１０が基地局の近くで用いられたことにより、基地局から送信された無線信号の信号成分によって受信信号Ｓtvの信号レベルが大きくなっても、歪みを生じた受信信号がメインアンプ２２３に供給されることがなく、無線通信による妨害を軽減できる。
【００３１】
図３は、制御部４０における信号経路選択動作を示すフローチャートである。放送信号の受信開始操作が行われると、ステップＳＴ１で制御部４０は、チューナ部２２を制御して選局処理を行う。すなわち、受信操作で指定されたチャネルあるいは前回の放送番組の視聴で最後に選局されているチャネル（ラストチャネル）の信号を選択して周波数変換する処理を行い、ステップＳＴ２に進む。
【００３２】
ステップＳＴ２で制御部４０は、受信信号Ｓtvの増幅時に歪みを生じさせてしまうおそれのある通信動作状態であるか否かを判別する。ここで、受信信号Ｓtvの増幅時に歪みを生じさせてしまうおそれのある通信動作状態でないときにはステップＳＴ３に進む。また、受信信号Ｓtvの増幅時に歪みを生じさせてしまうおそれのある通信動作状態であるときにはステップＳＴ４に進む。例えば、携帯端末装置１０で無線信号の送信が行われていない場合や、通信アンテナ１１で無線信号を受信して得られた受信信号ＳRFrの信号レベルが予め設定した信号レベルよりも大きくないときは、受信信号Ｓtvの増幅時に歪みを生じさせるおそれがないことからステップＳＴ３に進む。また、無線信号の送信を行っているときや、受信信号ＳRFrの信号レベルが予め設定した信号レベルよりも大きいときは、受信信号Ｓtvの増幅時に歪みを生じさせてしまうおそれがあるため、ステップＳＴ４に進む。
【００３３】
ステップＳＴ３で制御部４０は、増幅を行う信号経路を選択してステップＳＴ５に進む。すなわち、チューナ部の入力段が図２に示すように構成されている場合、信号経路選択信号ＣＧの論理レベルをローレベル「Ｌ」としてスイッチングトランジスタ２２４をオン状態としてプリアンプ２２２に電源電圧を供給することで、放送受信アンテナ２１で放送信号を受信して得られた受信信号Ｓtvをプリアンプ２２２で増幅して、結合コンデンサ２３４を介してメインアンプ２２３に供給させる。
【００３４】
ステップＳＴ４で制御部４０は、増幅を行わない信号経路を選択してステップＳＴ５に進む。すなわち、チューナ部の入力段が図２に示すように構成されている場合、信号経路選択信号ＣＧの論理レベルをハイレベル「Ｈ」としてスイッチングトランジスタ２２４をオフ状態とすることでプリアンプ２２２に対する電源電圧の供給を停止し、放送受信アンテナ２１で放送信号を受信して得られた受信信号Ｓtvを、抵抗器２３２および結合コンデンサ２３４を介してメインアンプ２２３に供給させる。
【００３５】
ステップＳＴ５で制御部４０は、受信終了操作が行われたか否かを判別する。ここで、受信終了操作を示す操作信号ＰＳが操作部４４から供給されていないときはステップＳＴ１戻り、選択された信号経路を介して供給された受信信号Ｓtvから所望のチャネルの信号を選択して周波数変換を行う。また、受信終了操作を示す操作信号ＰＳが操作部４４から供給されたときは、放送信号の受信を終了する。
【００３６】
このように、チューナ部では、放送番組の視聴に妨害を与える通信動作が行われていないとき、受信信号を増幅して処理回路に供給する信号経路が選択される。また、放送番組の視聴に妨害を与える通信動作が行われているとき、受信信号を増幅することなく処理回路に供給する信号経路が選択される。
【００３７】
このため、無線通信の信号成分によって受信信号Ｓtvの信号レベルが大きくなっても、歪みを生じた信号が処理回路に供給されることがなく、放送番組の受信時に無線通信による妨害の発生を軽減できる。
【００３８】
また、受信信号Ｓtvを増幅することなく後段に供給する信号経路として、プリアンプ２２２の帰還回路を利用することで、プリアンプ２２２とは別個に新たに信号経路を設けたり、信号経路を選択するための経路切替回路を設ける必要がなく、構成を簡単にできる。
【産業上の利用可能性】
【００３９】
以上のように、本発明に係る携帯端末装置および放送受信方法は、放送信号を受信しながら無線通信を行う場合に有用であり、テレビジョン放送の視聴が可能な携帯電話装置等に適している。
【図面の簡単な説明】
【００４０】
【図１】この発明に係る携帯端末装置の一実施形態の構成を示す図である。
【図２】チューナ部の入力段の一実施形態を示す図である。
【図３】信号経路選択動作を示すフローチャートである。
【符号の説明】
【００４１】
１０・・・携帯端末装置、１１・・・通信アンテナ、１２・・・アンテナ切替部、１３・・・通信部、１４・・・コーデック部、２１・・・放送受信アンテナ、２２・・・チューナ部、２４・・・復調部、２５・・・多重分離部、２６・・・Ａ／Ｖデコーダ、３１・・・マイク信号処理部、３２・・・マイクロホン、３３・・・音声信号出力部、３４・・・スピーカ、３５・・・表示駆動部、３６・・・表示素子、４０・・・制御部、４１・・・ＲＯＭ、４２・・・ＲＡＭ、４３・・・インタフェース、４４・・・操作部、１３１・・・受信信号処理部、１３２・・・送信信号生成部、１３３・・・ベースバンド処理部、２２１・・・フィルタ、２２２・・・プリアンプ、２２３・・・メインアンプ、２２４・・・スイッチングトランジスタ
【図１】
2006295335.tif 000003
【図２】
2006295335.tif 000004
【図３】
2006295335.tif 000005